(57)【要約】【課題】鳥などがベランダから内部に侵入することを防止するとともに、外観を損なうことなく、耐久性にも優れ、取り付け作業も従来の鳥害防止具の取り付け作業と比較すると、飛躍的に短時間で行うことが可能な鳥害防止具を提供する。【解決手段】外周を枠線で囲った網体２と、隣接して配設された前記網体２の枠線相互を連結する連結金具３と、前記網体２が前記連結金具３によって複数連結された連結網体の上端部を構造物の所定高さの位置に吊り下げる、前記構造物に取り付けられた吊り下げ金具４と、を備える鳥害防止具１を提供する。【選択図】図１
2010273624.tif 000002
【特許請求の範囲】
【請求項１】
外周を枠線で囲った網体と、
隣接して配設された前記網体の枠線相互を連結する連結金具と、
前記網体が前記連結金具によって複数連結された連結網体の上端部を構造物の所定高さの位置に吊り下げる、前記構造物に取り付けられた吊り下げ金具と、
を備える鳥害防止具。
【請求項２】
前記連結金具が、コイルスプリングである請求項１に記載の鳥害防止具。
【請求項３】
更に、前記連結網体の端部の枠線を留める、前記構造物に取り付けられた留め金具を備える請求項１又は２に記載の鳥害防止具。
【請求項４】
更に、前記連結網体のうち、所定の網体の一の枠線のみを、当該網体に隣接する第一の網体の枠線と前記連結金具によって連結されるとともに、当該一の枠線に対向する当該網体の他の枠線を、当該網体に隣接する第二の網体の枠線に設けられた掛け止め金具に掛け止められた網体を備える請求項１乃至３に記載の鳥害防止具。
【請求項５】
構造物に吊り下げ金具を取り付ける吊り下げ金具取り付けステップと、
外周を枠線で囲った網体の上端部の枠線を、前記吊り下げ金具に吊り下げる吊り下げステップと、
吊り下げられた網体に対して、網体を隣接して配設させた状態で、当該網体の枠線相互を連結金具で連結する連結ステップと、
を有する鳥害防止具の取り付け方法。
【請求項６】
更に、前記構造物に留め金具を取り付ける留め金具取り付けステップと、
前記網体が前記連結金具によって複数連結された連結網体の端部を前記留め金具に留めステップと、
を有する請求項５に記載の鳥害防止具の取り付け方法。
【請求項７】
更に、前記連結網体のうち、所定の網体の一の枠線のみを、当該網体に隣接する第一の網体の枠線と前記連結金具によって連結するとともに、当該一の枠線に対向する当該網体の他の枠線を、当該網体に隣接する第二の網体の枠線に設けられた掛け止め金具に掛け止めて、当該網体を非常口として作成する非常口作成ステップを有する請求項５又は６に記載の鳥害防止具の取り付け方法。
【発明の詳細な説明】
【技術分野】
【０００１】
本発明は、鳥害防止具及び鳥害防止具の取り付け方法に関し、詳しくは、開口部を有する構造物（壁）に容易に取り付けることが可能となるとともに、耐久性に優れ、構造物の外観を損なうことなく、鳥の侵入を確実の防止することが可能な鳥害防止具及び鳥害防止具の取り付け方法に関する。
【背景技術】
【０００２】
近年、中層住宅又は高層住宅（マンションともいう）等の構造物のベランダや通路の開口部に、野生の鳥、主として鳩、カラス等が侵入して、糞や羽根を撒き散らすとともに、営巣作業を行なう被害が多発している。前記野生の鳥の体や糞、羽根等には、人体に対して悪影響を及ぼす因子、例えば、寄生虫、ウイルス、細菌等が存在する。
【０００３】
前記寄生虫は、主として、ダニ、ハトトコジラミ、ハジラミ等であり、人体に痒みや皮疹を引き起こす。糞に存在するウイルスや細菌は、人体にオウム病や肺炎等の病を引き起こす。更に、羽根からこぼれ落ちる微細粉末は、人体にアレルギーを引き起こす。
【０００４】
このような人体に悪影響を及ぼす因子は、一度の野生の鳥の侵入によってマンション内部に容易に広がり、マンション内部を汚染する。そのため、野生の鳥の開口部から内部への侵入は、マンションに住んでいる住人にとって大きな問題となっている。
【０００５】
そこで、野生の鳥の侵入を防止するために、従来から、ベランダ等の開口部に、細かい網目を有する所定の網を張設して、野生の鳥が物理的に当該開口部から内部へ侵入できないようにする方法が採用されている。
【０００６】
一方で、建物の外壁の開口部に所定の網を張設すると、張設された網が、外部から容易に視認することができるとともに、日光（紫外線）の影響により劣化するため、建物の外観（景観）が悪くなるという問題がある。
【０００７】
そこで、前記問題を解決するために、特開２０００−１１０２２９号公報（特許文献１）には、建物の外壁の開口部に張設され、この開口部を介しての前記建物の外部から内部への害鳥の飛来又は侵入を防止する防鳥ネットにおいて、網糸が黒色又は褐茶色で成ることを特徴とする防鳥ネットが開示されている。
【０００８】
当該構成では、網糸の色を黒又は褐茶とすることにより、建物外部から見たときに網糸が背景に同化して見えなくなるので、鳩やカラス等の害鳥の飛来又は侵入を防止しながらネットの存在によって建物の景観が損なわれるのを抑制することができるとしている。
【先行技術文献】
【特許文献】
【０００９】
【特許文献１】特開２０００−１１０２２９号公報
【発明の概要】
【発明が解決しようとする課題】
【００１０】
しかしながら、特許文献１に記載の技術では、建物の景観が損なわれないものの、張設した防鳥ネットの網糸の材質は、ナイロン（商品名）等の化学繊維製であるため、未だに耐久性が悪いという問題がある。例えば、化学繊維製であれば、防鳥ネットの使用可能年数は、長くても７年程度であり、それ以上使用すると、防鳥ネットの網糸が切断して、野生の鳥の侵入を防止することが出来なくなる。
【００１１】
又、化学繊維製の網糸からなる防鳥ネットは柔軟性に富むため、張設される様々な開口部の形状に対応させて、防鳥ネットの形状を変更・変形することが可能であるものの、防鳥ネットの上端部と、下端部とを、複数の固定金具で固定しなければならないという問題がある。防鳥ネットの周端部を複数個所で固定しないと、自重により撓んでしまう。
【００１２】
図１３は、従来技術の防鳥ネットを開口部近傍の構造物（壁）に取り付けた状態を示す概略図である。
【００１３】
図１３に示すように、ベランダの開口部６の周端部領域に、防鳥ネット１１の固定金具１２が至る所に取り付けられていることが理解される。このように、防鳥ネットを取り付ける場合には、固定金具の取り付けや、防鳥ネットの寸法の調整によって、多大な時間と手間とを必要とするという問題がある。
【００１４】
近年では、防鳥ネットの上端部と、下端部とに長尺のフレームユニットを設けて、固定金具の数を減らす傾向にあるものの、当該構成では、防鳥ネットとフレームユニットとを連結させる作業が追加される一方、様々な開口部の形状に対して、フレームユニット付の防鳥ネットを容易に取り付けることができないという新たな問題が生じる。
【００１５】
又、一度、防鳥ネットが前記開口部近傍の構造物（壁）に固定されると、マンションの住人が内部から外部へ容易に出ることができない一方、部外者がマンション内部へ容易に入ることも出来なくなる。そのため、火災時では、住人が即時に外部へ退避することが出来ないとともに、外部の消防隊員が容易に内部へ入ることが出来ず、防鳥ネットが救助活動を阻害し、大災害に発展するおそれもある。
【００１６】
そこで、本発明は、上記問題を解決するためになされたものであり、本発明者が鋭意研究を行った結果、画期的なアイデアに基づき、開口部を有する構造物（壁）に容易に取り付けることが可能となるとともに、耐久性に優れ、構造物の外観を損なうことなく、鳥の侵入を確実の防止することが可能な鳥害防止具及び鳥害防止具の取り付け方法を提供することを目的とする。
【課題を解決するための手段】
【００１７】
上述した課題を解決し、目的を達成するために、本発明に係る鳥害防止具は、外周を枠線で囲った網体と、隣接して配設された前記網体の枠線相互を連結する連結金具と、前記網体が前記連結金具によって複数連結された連結網体の上端部を構造物の所定高さの位置に吊り下げる、前記構造物に取り付けられた吊り下げ金具と、を備える。
【００１８】
前記網体の形状は、丸形状、楕円形状、三角形状、四角形状、六角形、八角形、多角形状等のいずれの形状であっても構わない。
【００１９】
前記網体の網目の形状は、丸形状、楕円形状、三角形状、四角形状、六角形、八角形、多角形状等のいずれの形状であっても構わない。
【００２０】
前記網体の網目は、鳥が侵入出来ない程度の大きさであることが好ましい。更に、前記網体の網目は格子状に有すると好ましい。
【００２１】
前記網体の寸法は、ユーザの手で持ち運び可能な寸法であることが好ましい。
【００２２】
前記連結金具は、リング、ボルト付リング、プレートシリーズ、フック、Ｕボルト、カラビナ、リングキャッチ、チェーンキャッチ、Ｃリング、スイベル、ボルト・ナットの併合、ターンバックル、シンブル、Ｓカン、アンカー、ワイヤークリップ、ステンレス係船環、ステンレスカット、ステンレスワーヤーロープ、スパイキー、ステンレスホースジョイント、セーフティーバー等のいずれの連結金具であっても構わない。尚、材質は、金属、合成樹脂等、任意に選択可能である。
【００２３】
前記連結金具は、連結網体の隣接する網体毎に、一の網体の枠線と当該一の網体に隣接する他の網体の枠線とに巻きつけられることによって、網体の枠線相互を連結することが好ましい。
【００２４】
前記吊り下げ金具は、前記構造物の開口部の上端部に取り付けられることが好ましい。
【００２５】
更に、前記連結金具は、コイルスプリングであるよう構成することができる。
【００２６】
更に、当該鳥害防止具は、前記連結網体の端部の枠線を留める、前記構造物に取り付けられた留め金具を備えるよう構成することができる。
【００２７】
更に、当該鳥害防止具は、前記連結網体のうち、所定の網体の一の枠線のみを、当該網体に隣接する第一の網体の枠線と前記連結金具によって連結されたとともに、当該一の枠線に対向する当該網体の他の枠線を、当該網体に隣接する第二の網体の枠線に設けられた掛け止め金具に掛け止められた網体を備えるよう構成することができる。
【００２８】
本発明に係る鳥害防止具の取り付け方法は、構造物に吊り下げ金具を取り付ける吊り下げ金具取り付けステップと、外周を枠線で囲った網体の上端部の枠線を、前記吊り下げ金具に吊り下げる吊り下げステップと、吊り下げられた網体に対して、網体を隣接して配設させた状態で、当該網体の枠線相互を連結金具で連結する連結ステップと、を有する。
【００２９】
更に、当該取り付け方法は、前記構造物に留め金具を取り付ける留め金具取り付けステップと、前記網体が前記連結金具によって複数連結された連結網体の端部を前記留め金具に留めステップと、を有するよう構成することができる。
【００３０】
更に、当該取り付け方法は、前記連結網体のうち、所定の網体の一の枠線のみを、当該網体に隣接する第一の網体の枠線と前記連結金具によって連結するとともに、当該一の枠線に対向する当該網体の他の枠線を、当該網体に隣接する第二の網体の枠線に設けられた掛け止め金具に掛け止めて、当該網体を非常口として作成する非常口作成ステップを有するよう構成することができる。
【発明の効果】
【００３１】
本発明の鳥害防止具によれば、外周を枠線で囲った網体と、隣接して配設された前記網体の枠線相互を連結する連結金具と、前記網体が前記連結金具によって複数連結された連結網体の上端部を構造物の所定高さの位置に吊り下げる、前記構造物に取り付けられた吊り下げ金具と、を備える。
【００３２】
これにより、鳥害防止具は、外周を枠線で囲った網体から構成されているため、搬送性に優れるとともに、網体の吊り下げ作業と、連結金具の連結作業とにより簡単に鳥害防止具を構成することが可能であるため、鳥害防止具の取り付けに要する時間を飛躍的に短縮することが可能となる。
【００３３】
更に、前記連結金具が、コイルスプリングであるよう構成することができる。
【００３４】
これにより、構成された鳥害防止具は、コイルスプリングがヒンジ部の役割を果たし、鳥害防止具全体が湾曲、折り曲げ可能となるから、様々な構造物の開口部の形状（例えば、左右方向に曲線を有する建造物の開口部の形状）であっても、鳥害防止具の形状を容易に変形して適切に当該開口部に取り付けることが可能となる。
【００３５】
更に、当該鳥害防止具は、前記連結網体の端部の枠線を留める、前記構造物に取り付けられた留め金具を備えるよう構成することができる。
【００３６】
これにより、鳥害防止具を構造物に適切に固定することが可能となるから、例えば、マンション等の建物の開口部が受ける外界の影響（風、雨等）によって鳥害防止具の振動、揺動、取り外れ等を確実に防止することが可能となる。又、網体相互の接触による金切り音の発生も防止し、快適な生活空間を維持することが可能となる。
【００３７】
更に、当該鳥害防止具は、前記連結網体のうち、所定の網体の一の枠線のみを、当該網体に隣接する第一の網体の枠線と前記連結金具によって連結されたとともに、当該一の枠線に対向する当該網体の他の枠線を、当該網体に隣接する第二の網体の枠線に設けられた掛け止め金具に掛け止められた網体を備えるよう構成することができる。
【００３８】
これにより、ベランダ等の開口部全面に鳥害防止具を取り付けたとしても、所定の網体は、前記掛け止め金具を外すと、取り付けられた連結網体に対して開閉自在に配置されることとなるから、当該網体を非常口として利用することが可能となる。そのため、火災が発生したとしても、当該非常口によって、住人は即時に外部へ退避することが可能となるとともに、外部の消防隊員が容易に内部へ入ることが可能となり、円滑な救助活動を図ることができる。又、消防法等の規則に反することなく鳥害防止具を開口部に取り付けることが可能となる。
【００３９】
更に、本発明の鳥害防止具の取り付け方法によれば、構造物に吊り下げ金具を取り付ける吊り下げ金具取り付けステップと、外周を枠線で囲った網体の上端部の枠線を、前記吊り下げ金具に吊り下げる吊り下げステップと、吊り下げられた網体に対して、網体を隣接して配設させた状態で、当該網体の枠線相互を連結金具で連結する連結ステップと、を有する。
【００４０】
これにより、吊り下げ金具を取り付ける作業と、網体を吊り下げ金具に吊り下げる作業と、吊り下げた網体の枠線と、隣接して配設された網体の枠線とを連結金具で連結する作業という一連の簡単な作業により、鳥害防止具を組み立てながら構造物（例えば、構造物の開口部）に取り付けることが可能となる。
【００４１】
又、鳥害防止具全体が網体毎に区画される構成としているため、複数の吊り下げ金具と、複数の網体と、複数の連結金具とをベランダ等の構造物の開口部に持っていけば、様々な大きさを有する開口部であっても、即時かつ適切に鳥害防止具の大きさを調整して当該開口部に取り付けることが可能となる。そのため、従来では、防鳥ネットの取り付けの際にはイラスト図の作成、当該イラスト図に従って防鳥ネットの裁断作業が必要であり、６日以上の時間を要し、当日に取り付け作業を完了することが出来なかった。本発明に係る鳥害防止具の取り付け方法では、イラスト図の作成と、防鳥ネットの裁断を不要とするとともに、当該鳥害防止具の取り付けに要する時間は、従来での取り付け作業に要する時間と比較すると、飛躍的に短縮することが可能となる。更に、鳥害防止具を構成する網体は、所定の形状保持性を有しているから、従来の網糸からなる鳥害防止具と比較すると、吊り下げ金具の取り付け数を飛躍的に減少させることも可能となり、より一層、取り付け作業の簡便化と、取り付け時間の効率化とを図ることが可能となる。
【００４２】
更に、当該取り付け方法は、前記構造物に留め金具を取り付ける留め金具取り付けステップと、前記網体が連結金具によって複数連結された連結網体の端部を前記留め金具に留めステップと、を有するよう構成することができる。
【００４３】
これにより、鳥害防止具を強固に構造物に取り付けることが可能となる。更に、鳥害防止具を構成する網体は、所定の形状保持性を有しているとともに、留め金具は、連結網体の端部を留める位置に取り付ければ足りるため、従来の網糸からなる鳥害防止具と比較すると、留め金具の取り付け数を飛躍的に減少させることも可能となり、より一層、取り付け作業の簡便化と、取り付け時間の効率化とを図ることが可能となる。
【００４４】
更に、当該取り付け方法は、前記連結網体のうち、所定の網体の一の枠線のみを、当該網体に隣接する第一の網体の枠線と前記連結金具によって連結するとともに、当該一の枠線に対向する当該網体の他の枠線を、当該網体に隣接する第二の網体の枠線に設けられた掛け止め金具に掛け止めて、当該網体を非常口として作成する非常口作成ステップを有するよう構成することができる。
【００４５】
これにより、新たな部品点数を増加することなく非常口を作成することが可能となるとともに、その作成方法も非常に簡単である。更に、非常口は網体単位で作成されるから、連結網体のうち、ユーザが選択した任意の網体を非常口として設置することが可能となる。そのため、構造物の形状、建物の外壁の開口部の形状、建物の構成に応じて、適切な位置に当該非常口を作成することが可能となり、鳥害防止具の柔軟性を更に向上させる。
【００４６】
総じて、本発明の鳥害防止具及び鳥害防止具の取り付け方法によれば、構造物の外壁の開口部に容易に取り付けることが可能となるとともに、耐久性に優れ、建物の外観を損なうことなく、鳥の侵入を確実の防止することが可能となる。
【図面の簡単な説明】
【００４７】
【図１】本発明の実施形態に係る鳥害防止具を開口部近傍の構造物（壁）に取り付けた状態を示す概略図である。
【図２】本発明の実施形態に係る鳥害防止具の一の網体を示す概略図である。
【図３】本発明の実施形態に係る鳥害防止具の一のコイルスプリングを示す概略図である。
【図４】隣接する網体の枠線相互に巻きつけたコイルスプリングの巻きつけ態様を示す概略正面図である。
【図５】本発明の実施形態に係る鳥害防止具の吊り下げ金具を示す概略図である。
【図６】本発明の実施形態に係る鳥害防止具の留め金具を示す概略図である。
【図７】隣接する網体の枠線相互又はコイルスプリングを留めた留め金具の留め態様を示す概略図である。
【図８】本発明の実施形態に係る鳥害防止具の取り付け工程を示す第一の概略図である。
【図９】本発明の実施形態に係る鳥害防止具の取り付け工程を示す第二の概略図である
【図１０】本発明の実施形態に係る鳥害防止具の取り付け工程を示す第三の概略図である。
【図１１】本発明に係る鳥害防止具を左右方向に曲面を有するマンションの開口部に取り付けた状態を示す概略図である。
【図１２】鳥害防止具を構成する所定の網体が非常口として配置された状態を示す概略図である。
【図１３】従来技術の防鳥ネットを開口部近傍の構造物（壁）に取り付けた状態を示す概略図である。
【発明を実施するための形態】
【００４８】
以下に、添付図面を参照して、本発明の鳥害防止具及び鳥害防止具の取り付け方法の実施形態について説明し、本発明の理解に供する。尚、以下の実施形態は、本発明を具体化した一例であって、本発明の技術的範囲を限定する性格のものではない。
【００４９】
図１は、本発明の実施形態に係る鳥害防止具を開口部近傍の構造物（壁）に取り付けた状態を示す概略図である。尚、図１の上下方向が、鳥害防止具の上下方向に対応し、図１の左右方向が、鳥害防止具の左右方向に対応する。
【００５０】
図１に示すように、鳥害防止具１は、複数の網体２と、複数の連結金具３と、吊り下げ金具４と、留め金具５とから構成される。鳥害防止具１は、連結金具であるコイルスプリング３によって連結された連結金網２からなり、ベランダの開口部６の上端部近傍の構造物（天井）に設けられた吊り下げ金具４で吊り下げられ、ベランダの開口部６の左端部近傍の構造物（柱壁）と下端部近傍の構造物（バラペット又はベランダの手摺）とにそれぞれ設けられた留め金具５で留められる。尚、図１には、ベランダの開口部６の右端部は示していないものの、図１に示す開口部６の左端部と同様であり、右端部近傍の構造物（壁）には留め金具５が設けられ、当該鳥害防止具１は、右端部の留め金具５に留められる。
【００５１】
図２は、本発明の実施形態に係る鳥害防止具１の一の網体２を示す概略図である。図２（Ａ）は、当該網体２の正面図であり、図２（Ｂ）は、当該網体２の右側面図である。尚、図２の上下方向が、網体２の上下方向に対応し、図２の左右方向が、網体２の左右方向に対応する。
【００５２】
網体２は、図２に示すように、外周を枠線で囲った構成を採用する。更に、当該網体２は、金網から構成され、鳥が侵入出来ない程度の大きさの四角形状の網目を格子状に有するとともに、ユーザの手で持ち運び可能な寸法を有するよう構成される。
【００５３】
例えば、前記網体２は、鉄又はステンレス等からなる複数の線材（以下、上下線材２１とする）が、相互に所定の間隔２ａで平行に配置されるとともに、鉄又はステンレス等からなる複数の線材（以下、左右線材２２とする）が、当該上下線材２１と直角に交差され、相互に所定の間隔２ｂで平行に配置されて構成される。前記上下線材２１と前記左右線材２２との交差点は、スポット溶接等で溶着されて固定される。網体２の枠線は、網体２の端部の上下線材と、網体２の端部の左右線材とからなる。
【００５４】
鳥が侵入出来ない程度の大きさについては、鳥の種類により、上下線材２１の配置間隔が決定される。そして、前記上下線材２１及び前記左右線材２２の個数、配置の間隔２ａ、２ｂ等によって適宜設計変更される。例えば、侵入排除の対象の鳥を鳩に設定すると、網目の上下方向の寸法（図２に示す配置の間隔２ｂ）が鳩の力により開かない様な強度強さにより決定される。又、網目の左右方向の寸法が１０〜３ｃｍと設定され、それに対応して、前記上下線材２１及び前記左右線材２２の個数、配置の間隔２ａ、２ｂ等が決定される。尚、網目の上下方向の寸法が左右方向の寸法と同等になると、網目の形状が略正方形となり、鳥が容易に侵入可能となるため、好ましくない。図２に示す鳥が侵入出来ない程度の大きさの四角形状の網目の寸法は、上下線材２１の直径が１．６ｍｍ、左右線材２２の直径が２．０ｍｍで設定されると、上下方向の寸法が２５０ｃｍであり、左右方向の寸法が５ｃｍであり、それに対応して、上下線材２１の個数が１３個、上下線材２１の配置の間隔２ａが５ｃｍ、左右線材２２の個数が４個、左右線材の配置の間隔２ｂが２５０ｃｍと設定される。尚、上下線材２１をより細くした場合、左右線材２２の上下間隔２ｂがより狭く設定される。
【００５５】
又、鳥が侵入出来ない程度の大きさの四角形状の網目を格子状に有するように網体２を構成すると、網体２の線材（上下線材２１又は左右線材２２）をニッパー等の工具で切断して寸法を変更しても、網体２全体の形状を略四角形状に構成することが可能となるため、網体２の形状を容易に構造物の開口部に沿った形状に調整することが可能となるので好ましい。
【００５６】
又、網体２におけるユーザの手で持ち運び可能及び省コストで製造可能な寸法は、網目の寸法や個数に関係し、前記上下線材２１の寸法及び個数と、前記左右線材２２の寸法及び個数とに応じて決定される。例えば、上述と同様に、侵入排除の対象の鳥を鳩に設定すると、上下線材２１の寸法は７００〜１２００ｃｍ、上下線材２１の個数は１０〜１５個、左右線材２２の寸法は５００〜７００ｃｍ、左右線材２２の個数は３〜７個と設計される。図２に示すユーザの手で持ち運び可能な寸法を有する網体２の寸法は、上下方向の寸法が７５０ｃｍ、上下線材の個数が１３個、左右方向の寸法が６００ｃｍ、左右線材の個数が４個である。
【００５７】
又、上下線材２１の直径と、左右線材２２の直径とは、外観上目立たなくするためにできるだけ細い方がよいが、侵入防止対象である鳥の物理的接触により容易に変形されない程度の寸法であることが好ましい。
【００５８】
前記上下線材２１の直径は、前記開口部６への取り付け作業時に網体２が容易に変形しないとともに、搬送時には所定の機械的強度を有するために、適当な直径に設計される。例えば、上下線材２１がステンレス線材であれば、その直径は１．０〜２．５ｍｍであることが好ましい。図２に示す上下線材２１の直径は、１．６ｍｍである。又、前記左右線材２２の直径は、前記開口部６への取り付け作業時に網体２が容易に左右方向に湾曲可能となるとともに、取り付け後には所定の形状保持性が付与されるようにするために、適当な直径に設計される。例えば、左右線材２２がステンレス線材であれば、１．０〜３．５ｍｍであることが好ましい。図２に示す左右線材２２の直径は、２．０ｍｍである。
【００５９】
図３は、本発明の実施形態に係る鳥害防止具１の一のコイルスプリング３を示す概略図である。図３（Ａ）は、当該コイルスプリング３の斜視図であり、図３（Ｂ）は、当該コイルスプリング３の正面図である。尚、図３の上下方向が、コイルスプリング３の上下方向に対応し、図３の左右方向が、コイルスプリング３の左右方向に対応する。
【００６０】
コイルスプリング３は、図３に示すように、複数の網体２が相互に隣接して、建物の外壁の開口部６に配置された状態で、隣接する網体毎に、一の網体の端部の線材と当該一の網体に隣接する他の網体の端部の線材とに巻きつけられるよう構成される。
【００６１】
すなわち、前記コイルスプリング３の外径３１は、網体２の上下線材２１又は左右線材２２の直径と、網体２の端部の枠線を巻きつける巻きつけ回数と、網体２相互を結合する結合力とに関係するため、鳥害防止具１の取り付け作業性、網体２相互の強度等を考慮して適当な外径に設計される。コイルスプリング３の外径３１が小さすぎると、網体２の枠線相互を巻きつけ難くなり、鳥害防止具１の取り付け作業に要する取り付け時間が長期化する場合がある。一方、コイルスプリング３の外径３１が多きすぎると、網体２相互の強度が弱まり、網体２同士が容易に外れてしまう場合がある。例えば、簡易に網体２相互を結合させるとともに、当該網体２同士の結合に所定の強度を付与するために、コイルスプリング３の外径３１は５〜１０ｍｍであることが好ましい。図３（Ｂ）に示すコイルスプリング３の外径３１は８ｍｍである。コイルスプリング３の外径３１が上述した範囲内であると、当該コイルスプリング３を介して、連結網体２相互に適当なクリアランスを生じさせる。当該クリアランスは、網体２が風等により大きく揺動したとしても、鳥害防止具１全体が波打つ現象である波打ち現象を緩和させる効果がある。
【００６２】
又、前記コイルスプリング３の全長３２は、上述した前記巻きつけ回数と、前記結合力とに関係するため、鳥害防止具１の取り付け作業性、網体２相互の強度等を考慮して適当な全長に設計される。コイルスプリング３の全長３２が長すぎると、網体２の枠線への巻きつけ回数が多くなり、鳥害防止具１の取り付け時間が長期化する場合がある。一方、コイルスプリング３の全長３２が短すぎると、隣接する網体２相互の結合力が低下し、容易に網体２相互が外れてしまう場合がある。例えば、簡易に網体２相互を結合させるとともに、当該網体２相互の結合に所定の強度を付与するために、コイルスプリング３の全長３２は３０〜１００ｍｍであることが好ましい。図３（Ｂ）に示すコイルスプリング３の全長３２は、８０ｍｍである。
【００６３】
又、前記コイルスプリング３の巻きピッチ３３は、網体２の枠線相互への巻きつけ作業性に関係するため、鳥害防止具１の取り付け作業性等を考慮して適当な巻きピッチに設計される。ここで、巻きピッチとは、図３（Ｂ）に示すように、コイルスプリング３を構成する線材が一巻きする左右方向の線材間の距離をいう。コイルスプリング３の巻きピッチが長すぎても短すぎても、巻きつけ作業性が低下する場合がある。例えば、容易にコイルスプリング３を巻きつけ可能とするために、コイルスプリング３の巻きピッチ３３は４〜８ｍｍであることが好ましい。図３（Ｂ）に示すコイルスプリング３の巻きピッチ３３は、４又は５ｍｍである。
【００６４】
又、前記コイルスプリング３の線径３４は、コイルスプリング３自体の力学的強度と、上述した前記結合力とに関係するため、網体２相互の強度等を考慮して適当な線径に設計される。ここで、コイルスプリング３の線径３４とは、図３（Ｂ）に示すように、コイルスプリング３を構成する線材の直径をいう。コイルスプリングの線径が小さすぎると、網体２の枠線相互に巻きつけたとしても容易に網体２相互が外れてしまう場合がある。一方、コイルスプリング３の線径が大きすぎると、コイルスプリング３自体の力学的強度により巻きつけ作業がはかどらない場合がある。例えば、容易にコイルスプリングを巻きつけ可能とするために、コイルスプリング３の線径３４は０．２〜１．５ｍｍであることが好ましい。図３（Ｂ）に示すコイルスプリング３の線径３４は０．８ｍｍである。
【００６５】
次に、一の網体２の枠線と当該一の網体２に隣接する他の網体２の枠線とに巻きつけられたコイルスプリング３の巻きつけ態様とその巻きつけ方法とについて説明する。
【００６６】
図４は、隣接する網体２の枠線相互に巻きつけたコイルスプリング３の巻きつけ態様を示す概略正面図である。尚、図４の上下方向が、コイルスプリング３の巻きつけ態様の上下方向に対応し、図４の左右方向が、コイルスプリング３の巻きつけ態様の左右方向に対応する。
【００６７】
コイルスプリング３の巻きつけ態様には、二つの網体２に一つのコイルスプリング３を巻きつける態様（第一態様）と、四つの網体２に一つのコイルスプリング３を巻きつける態様（第二態様）と、四つの網体２に二つのコイルスプリング３を巻きつける態様（第三態様）とが存在する。
【００６８】
図４（Ａ１）又は図４（Ａ２）は、上述した第一態様を示す概略正面図である。
【００６９】
第一態様では、図４（Ａ１）又は図４（Ａ２）に示すように、二つの網体が隣接して配置された状態で、隣接した網体の枠線相互が一つのコイルスプリング３４１ａで巻きつけられた態様を示す。
【００７０】
第一態様の巻きつけ方法は、次の通りである。まず、上方の網体３４２ａ、下方の網体３４３ａを隣接して配置させ、上下に隣り合う網体の枠線相互を重ね合わせるか、枠線相互を非常に近接させた状態とする。図４（Ａ１）では、上方の網体３４２ａの下方の枠線３４４ａと、下方の網体３４３ａの上方の枠線３４５ａとを近接させた状態が示されている。当該状態で、隣り合う網体の枠線相互に、コイルスプリング３４１ａの線材を沿わせながら、当該枠線相互を略回転軸として当該コイルスプリング３４１ａを回転させて巻きつけていく。コイルスプリング３４１ａを当該枠線相互に全て巻きつけると、二つの網体がコイルスプリングを介して連結される（図４（Ａ１））。前記コイルスプリングは適度な弾性を有するため、図４（Ａ１）に示すように、二つの網体がコイルスプリングを介して上下方向に折り曲げ可能となる。尚、図４（Ａ１）では、上下方向の枠線相互を、網体の角部分（隅部分）でコイルスプリングを用いて連結した態様を示し、図４（Ａ２）では、左右方向の枠線相互を、網体の端部の中央部分（又は中央近傍）でコイルスプリングを用いて連結した態様を示している。図４（Ａ２）でも、図４（Ａ１）と同様であり、その説明は割愛する。第一態様は、主として、相互に隣接する連結網体のうち、上下方向又は左右方向の枠線相互をコイルスプリングで連結する場合に採用される。
【００７１】
図４（Ｂ）は、上述した第二態様を示す概略図である。
【００７２】
第二態様では、図４（Ｂ）に示すように、四つの網体が上下左右に隣接して配置された状態で、隣接した網体の枠線相互が一つのコイルスプリング３４１ｂで巻きつけられた態様を示す。
【００７３】
第二態様の巻きつけ方法は、次の通りである。まず、四つの網体を隣接して配置させる。図４（Ｂ）では、上左側の網体３４２ｂ、下左側の網体３４３ｂ、上右側の網体３４４ｂ、下右側の網体３４５ｂが相互に隣接して配置されている。次に、上左側の網体３４２ｂの下方の枠線３４６ｂと、下左側の網体３４３ｂの上方の枠線３４７ｂとを近接させるとともに、上右側の網体３４４ｂの下方の枠線３４８ｂと、下右側の網体３４５ｂの上方の枠線３４９ｂとを近接させた状態とする。当該状態で、第一態様の巻きつけ方法と同様に、隣り合う網体の枠線相互を略回転軸としてコイルスプリング３４１ｂを回転させて巻きつけていく。第二態様では、巻きつけるコイルスプリング３４１ｂの半分を、図４（Ｂ）に示す上左側の網体３４２ｂの下方の枠線３４６ｂと、下左側の網体３４３ｂの上方の枠線３４７ｂとに巻きつけ、残り半分を、図４（Ｂ）に示す下右側の網体３４５ｂの上方の枠線３４９ｂと、上右側の網体３４４ｂの下方の枠線３４８ｂとに巻きつける。左右の網体群にコイルスプリングを巻きつける割合は、左右半分でなくても構わないが、左右半分の方が、四つの網体がバランスよく連結されるので好ましい。一のコイルスプリング３４１ｂを四つの網体の枠線相互に全て巻きつけると、四つの網体がコイルスプリング３４１ｂを介して連結される（図４（Ｂ））。図４（Ｂ）に示す第二態様では、一のコイルスプリング３４１ｂにより上下の網体を折り曲げ可能に連結するとともに、当該コイルスプリング３４１ｂを介して左右の網体も適度な強度で連結することが可能となる。第二態様は、主として、相互に隣接する複数の網体のうち、中央に位置する網体相互をコイルスプリングで連結する場合に採用される。
【００７４】
図４（Ｃ）は、上述した第三態様を示す概略図である。
【００７５】
第三態様では、図４（Ｃ）に示すように、四つの網体が上下左右に隣接して配置された状態で、隣接した網体の枠線相互が二つのコイルスプリングで巻きつけられた態様を示す。尚、左右方向に巻きつけられたコイルスプリングを左右コイルスプリング３４１ｃ、上下方向に巻きつけられたコイルスプリングを上下コイルスプリング３４２ｃとする。
【００７６】
第三態様の巻きつけ方法は、次の通りである。まず、四つの網体を隣接して配置させる。図４（Ｃ）では、上左側の網体３４３ｃ、下左側の網体３４４ｃ、上右側の網体３４５ｃ、下右側の網体３４６ｃが相互に隣接して配置されている。次に、上左側の網体３４３ｃの下方の枠線３４７ｃと、下左側の網体３４４ｃの上方の枠線３４８ｃとを近接させるとともに、上右側の網体３４５ｃの下方の枠線３４９ｃと、下右側の網体３４６ｃの上方の枠線３４１０ｃとを近接させた状態とする。当該状態で、第二態様の巻きつけ方法と同様に、左右コイルスプリング３４１ｃを用いて四つの網体を連結させる。この場合、巻きつける左右コイルスプリング３４１ｃの半分を、図４（Ｃ）に示す上左側の網体３４３ｃの下方の枠線３４７ｃと、下左側の網体３４４ｃの上方の枠線３４８ｃとに巻きつけ、残りの半分を、図４（Ｃ）に示す下右側の網体３４６ｃの上方の枠線３４１０ｃと、上右側の網体３４５ｃの下方の枠線３４９ｃとに巻きつける。更に、上下コイルスプリング３４２ｃを用いて四つの網体を連結させる。巻きつける上下コイルスプリング３４２ｃの半分を、図４（Ｃ）に示す上左側の網体３４３ｃの右方の枠線３４１１ｃと、上右側の網体３４５ｃの左方の枠線３４１２ｃとに巻きつけ、残り半分を、図４（Ｃ）に示す下左側の網体３４４ｃの右方の枠線３４１３ｃと、下右側の網体３４６ｃの左方の枠線３４１４ｃとに巻きつける。二つのコイルスプリングを四つの網体の枠線相互に全て巻きつけると、四つの網体が二つのコイルスプリングを介して連結される（図４（Ｃ））。当該構成により、四つの網体の枠線が、十字状をなす二つのコイルスプリングで相互に結合される。そのため、第三態様では、図４（Ｃ）に示すように、四つの網体相互が適度な結合力を有するとともに、二つのコイルスプリングをヒンジ部として四つの網体が上下方向又は左右方向に折り曲げ可能となる。第三態様は、主として、相互に隣接する複数の網体のうち、中央に位置する網体相互をコイルスプリングで連結する場合に採用される。
【００７７】
次に、本発明の実施形態に係る鳥害防止具１の吊り下げ金具４について説明する。
図５は、本発明の実施形態に係る鳥害防止具１の吊り下げ金具４を示す概略図である。図５（Ａ）は、当該吊り下げ金具４の取り付け態様を示す概略断面図であり、図５（Ｂ）は、当該吊り下げ金具４を構成する部材を示す概略図である。尚、図５の上下方向が、吊り下げ金具４の上下方向に対応し、図５の左右方向が、吊り下げ金具４の左右方向に対応する。
【００７８】
吊り下げ金具４は、図５（Ａ）に示すように、開口部の上端部近傍の構造物（天井）に設置され、複数の網体のうち、上方端部に配置された所定の網体２５１ａの上方枠線２５２ａを、前記開口部６の上方から吊り下げるよう構成される。
【００７９】
具体的には、吊り下げ金具４は、図５（Ａ）、図５（Ｂ）に示すように、フック金具４１と、吊り金具４２と、座金４３と、パッキン４４と、コンクリート用ビス４５と、プラグ４６とから構成される。
【００８０】
前記フック金具４１は、所定の線材の両端を湾曲させて形成されるとともに、本体中央付近に、入口部４１１に対応する切断部を形成されており、上方からの切断部４１２が、下方からの切断部４１３の内壁を内部から係合するよう構成される。当該係合状態は、前記切断部４１２、４１３相互の接触により網体の枠線に対して外れ止めとして作用する。当該構成により、網体の枠線２５２ａを前記入口部４１１から容易に内部に挿通し、下方の湾曲部４１４に吊り下げることが可能となるとともに、吊り下げられた線材２５２ａが前記入口部４１１を通って下方の湾曲部４１４から容易に外れないようにしている。図５（Ｂ）では、フック金具４１の入口部４１１は、外界（右方向）を向いているが、内部（左方向）を向くよう構成しても構わない。内部を向くよう構成すると、後述する網体の取り付けの作業性が向上するため、好ましい。
【００８１】
又、前記吊り金具４２は、所定の線材を中央で折り曲げてＵ字状に形成されるとともに、折り曲げられた中央部４２１から所定の距離４２２だけ間隔を置いた位置で、吊り金具４２本体を、折り曲げ方向の垂直方向（図５（Ｂ）では上下方向）に対して所定の角度αで更に折り曲げて形成される。当該構成により、吊り金具４２の一方の線材を挿通したフック金具４１の上方の湾曲部４１５を、吊り金具４２の中央部４２１の位置で留めて、当該フック金具４１を所定の高さの位置で固定することが可能となる。尚、所定の距離４２２は、Ｕ字状に形成された吊り金具４２の左右全長に対して６分の１から８分の１までの範囲で調整されると好ましい。
【００８２】
又、前記座金４３は、平面円形を有するとともに、その中央に前記コンクリート用ビス４５が貫通する程度の貫通孔４３１を設け、更に円形の所定の径方向に沿って聊か湾曲させて形成される。
【００８３】
又、前記パッキン４４は、その材質を耐候性を有する弾性体から構成され、平面円形を有し、更に所定の厚みも有して、その中央に前記コンクリート用ビス４５が貫通する程度の貫通孔４４１を設けて形成される。
【００８４】
又、前記コンクリート用ビス４５は、前記座金４３の貫通孔４３１、前記パッキン４４の貫通孔４４１、Ｕ字状の前記吊り金具４２の開口部を貫通可能となる直径を有するとともに、コンクリートの外壁に取り付けられた前記プラグ４６に一度螺合されると容易に外れない程度の所定の長さを有する。前記プラグ４６は、前記コンクリート用ビス４５と螺合可能となるよう円筒状に構成される。
【００８５】
次に、本発明の実施形態に係る鳥害防止具１の留め金具５について説明する。
【００８６】
図６は、本発明の実施形態に係る鳥害防止具１の留め金具５を示す概略図である。図６（Ａ）は、当該留め金具５の概略図であり、図６（Ｂ）は、当該留め金具を構成するＵ字状金具の変形させた状態を示す概略図である。尚、図６の上下方向が、留め金具の上下方向に対応し、図６の左右方向が、留め金具の左右方向に対応する。
【００８７】
留め金具５は、図１、図６（Ａ）に示すように、開口部６の左端部近傍の構造物（壁）に設置され、複数の網体のうち、端部に位置する所定の網体の枠線を、前記開口部の端部で留めるよう構成される。尚、留め金具５の設置位置は、開口部の右端部近傍の構造物であっても、下端部近傍の構造物であっても同様である。
【００８８】
具体的には、留め金具５は、図６（Ａ）に示すように、Ｕ字状金具５１と、コンクリート用ビス５２と、座金５３と、パッキン５４と、プラグ５５とから構成される。尚、前記コンクリート用ビス５２と、前記座金５３と、前記パッキン５４と、前記プラグ５５とは、上述した吊り下げ金具４の前記コンクリート用ビス４５と、前記座金４３と、前記パッキン４４と、前記プラグ４６と同様であるため、その説明は割愛する。
【００８９】
前記Ｕ字状金具５１は、所定の線材を中央で折り曲げてＵ字状に形成される。当該Ｕ字状金具５１は、その線材を、隣接する網体の枠線相互を縫うように、網体の線材間を通過させて、当該枠線相互を当該Ｕ字状金具５１の折り曲げ部５１１で固定することにより、隣接する網体２を前記開口部６で固定する。
【００９０】
又、前記Ｕ字状金具５１は、ユーザにより容易に変形可能な金属（例えば、ステンレス）から構成されている。そのため、留め金具５の設置位置に応じて、当該Ｕ字状金具５１の形状を変形させ、隣接する網体２を適切に固定することが可能である。例えば、Ｕ字状金具５１は、図６（Ｂ）に示すように、Ｕ字状の折り曲げられた中央部５１２から所定の距離５１３だけ間隔を置いた位置で、固定金具本体５１を、折り曲げ方向の垂直方向（図６（Ｂ）では上下方向）に対して所定の角度βで折り曲げ、更に、当該折り曲げ部５１４から所定の距離５１５だけ間隔を置いた位置で、固定金具本体５１を当該垂直方向（図６（Ｂ）では上下方向）に対して垂直に折り曲げて形成される。当該構成により、建物の外壁の開口部６の形状に応じて、柔軟に留め金具の形状を変形させて、鳥害防止具１の取り付けを適切に行うことが可能となる。
【００９１】
次に、隣接する網体の枠線相互又はコイルスプリングを、開口部の端部近傍の構造物（壁）に留めた留め金具の留め態様について説明する。
【００９２】
図７は、隣接する網体の枠線相互又はコイルスプリングを留めた留め金具の留め態様を示す概略図である。尚、図７の上下方向が、留め金具の上下方向に対応し、図７の左右方向が、留め金具の左右方向に対応する。
【００９３】
留め金具の留め態様には、隣接する網体の枠線相互を開口部の端部近傍の構造物に留める留め金具の留め態様（線材留め態様）と、隣接する網体を連結するコイルスプリングを開口部の端部近傍の構造物に留める留め金具の留め態様（コイルスプリング留め態様）とが存在する。
【００９４】
図７（Ａ）は、開口部の左端部における留め金具の線材留め態様を示す概略正面図である。
【００９５】
線材留め態様は、次の方法によりなされる。図７（Ａ）に示すように、留め金具５に係るＵ字状金具５１の線材を、上方の網体７０１ａの下方の端部の左右線材７０２ａ（下方の枠線）と、下方の網体７０３ａの上方の左右線材７０４ａ（上方の枠線）とを縫うように、上方の網体７０１ａの上下線材７０５ａと、下方の網体７０３ａの上下線材７０６ａとの間を通過させる。そして、Ｕ字状金具５１の折り曲げ部５１１に、上方の網体７０１ａの下方の端部の左右線材７０２ａと、下方の網体７０３ａの上方の左右線材７０４ａとを引っ掛けて、当該線材相互７０２ａ、７０４ａを当該折り曲げ部５１１で留める。これにより、線材留め態様となる。当該態様では、留められた二つの網体の端部の線材同士の位置がずれることなく前記留め金具で適切に固定される。
【００９６】
尚、上述した線材留め態様では、二本の枠線に、留め金具５に係るＵ字状金具５１の線材を留めるよう構成しているが、網体を構成する複数の線材のうち、いずれの一本の線材に当該Ｕ字状金具５１の線材を留めるよう構成しても構わない。
【００９７】
図７（Ｂ）は、開口部の下端近傍の構造物における留め金具のコイルスプリング留め態様を示す概略正面図である。
【００９８】
コイルスプリング留め態様は、次の方法によりなされる。図７（Ｂ）に示すように、留め金具に係るＵ字状金具５１の線材を、左方の網体７０１ｂの左方の端部の上下線材７０２ｂ（左方の枠線）と右方の網体７０３ｂの右方の端部の上下線材７０４ｂ（右方の枠線）とに巻きつけられたコイルスプリング７０５ｂを構成する線材を縫うように、当該コイルスプリング７０５ｂの線材間に通過させる。そして、Ｕ字状金具５１の折り曲げ部５１１に、コイルスプリング７０５ｂの線材を引っ掛けて、当該線材相互７０２ｂ、７０４ｂを当該折り曲げ部５１１で留める。これにより、コイルスプリング留め態様となる。当該コイルスプリング７０５ｂをＵ字状金具５１で留める場合、当該コイルスプリング７０５ｂを聊か留め金具５側に（図７（Ｂ）では下方向に）引き延ばしてから、当該コイルスプリング７０５ｂの線材を当該Ｕ字状金具５１の折り曲げ部５１１で留めることが好ましい。当該構成とすると、コイルスプリング７０５ｂが復元力により網体７０１ｂ、７０３ｂを下方に引っ張り、鳥害防止具１全体が開口部６に張設されることになるから、鳥害防止具１を当該開口部６近傍の構造物に強固に取り付けることが可能となる。
【００９９】
尚、上述したコイルスプリング留め態様では、巻きつけられたコイルスプリング７０５ｂを用いて留め金具５に留めるよう構成しているが、留め金具５用のコイルスプリング（テンション用スプリング）を用いて留め金具５を留めるよう構成しても構わない。その場合は、所定の張力が掛けられたテンション用スプリングを、左方の網体７０１ｂの左右線材７０６ｂと、右方の網体７０３ｂの左右線材７０７ｂとを挿通するように、左方の網体７０１ｂの右方の端部の上下線材７０２ｂと、右方の網体７０３ｂの左方の端部の上下線材７０４ｂとに予め巻きつけておき、そのテンション用スプリングにＵ字状金具５１を留めればよい。詳細な方法は、上述と同様であるため、割愛する。
【０１００】
線材留め態様又はコイルスプリング留め態様は、開口部６の端部のうち、左右端部、下端部の近傍の構造物のいずれの位置であっても採用することが可能であるが、線材留め態様は、主として、開口部の左右端部近傍の構造物で、コイルスプリング留め態様は、主として、開口部の下端部近傍の構造物で採用される。
【０１０１】
次に、本発明の実施形態に係る鳥害防止具の取り付け方法について説明する。
【０１０２】
図８乃至図１０は、本発明の実施形態に係る鳥害防止具の取り付け工程を示す概略図である。尚、図８乃至図１０の上下方向が、鳥害防止具１の上下方向に対応し、図８乃至図１０の左右方向が、鳥害防止具１の左右方向に対応する。
【０１０３】
図８（Ａ）に示すように、まず、鳥害防止具を取り付ける予定の開口部６の上端部近傍の構造物に吊り下げ金具４を取り付ける（ステップ１、図８（Ａ））。
【０１０４】
開口部６の上端部近傍の構造物に取り付けられる吊り下げ金具４の取り付け位置は、前記開口部６の左右方向の寸法と、当該吊り下げ金具４に吊り下げられる網体２の左右方向の寸法とに応じて決定される。鳥害防止具１は、形状保持性を有する複数の網体２から構成されるから、少なくとも連結された複数の網体２の上方両端の位置に対応する開口部６の上端部の位置に、二つの吊り下げ金具４が取り付けられていれば、鳥害防止具１を開口部６に取り付けることが可能である。鳥害防止具１を開口部６近傍の構造物に強固に取り付ける場合、例えば、図８（Ａ）に示すように、一の網体の左右方向の両端８１の位置に対応する開口部６の上端部近傍の構造物の位置に、網体２毎に、二つの吊り下げ金具４が取り付けられる。図８（Ａ）では、左右方向に三つの網体２を隣接して開口部６の左右方向に配置させるため、吊り下げ金具４は６個取り付けられる。
【０１０５】
前記吊り下げ金具４を取り付ける方法は、図５（Ａ）、図５（Ｂ）に示したように、まず、前記開口部６の上端部近傍の構造物の所定の位置に、コンクリートドリル等の、プラグ４６の直径に対応する穴あけ機で、上下方向に所定の長さを有する穴を設ける。次に、当該穴にプラグ４６を嵌め合わせた後、予めフック金具４１が留められた吊り金具４２の当該フック金具４１を前記開口部６の所定高さの位置に配置するように、Ｕ字状の当該吊り金具４２の開口部をプラグ４６の穴に合わせる。更に、当該プラグ４６の穴がパッキン４３の貫通孔と座金４４の貫通孔とに一致するようパッキン４３と座金４４とを吊り金具４２の開口部の上に配置させる。そして、コンクリート用ビス４５を、座金４４の貫通孔と、パッキン４３の貫通孔と、吊り金具４２の開口部とに貫通させた後に、プラグ４６の穴に螺合させる。前記パッキン４３は弾性体であるから、コンクリート用ビス４５をプラグ４６の孔に螺合させると、吊り金具４２と座金４４との間で変形して吊り金具４２を座金４４とを強固に留めるため、結果として、吊り下げ金具４を強固にベランダの開口部６の上方で固定することが可能となる。尚、吊り下げ金具４を取り付ける場合、吊り下げ金具４に係るフック金具４１の入口部がベランダの開口部６から内部へ向かう方向に位置するよう取り付けると、後述する網体２の上方の枠線を当該フック金具４１に掛け易くなる。
【０１０６】
次に、取り付けた吊り下げ金具４毎に、所定の網体２の上端部の枠線を吊り下げ金具４に吊り下げる（ステップ２、図８（Ｂ））。
【０１０７】
図５（Ａ）に示したように、所定の網体２５１ａの上端部の枠線２５２ａを、前記取り付けられた吊り下げ金具４に係るフック金具４１の入口部４１１から当該フック金具４１の上方の切断部４１３の外壁に押し当てて内部へ入れると、当該網体２５１ａの上端部の枠線２５２ａがフック金具４１の下方の湾曲端部４１４の内部に掛け留められる。
【０１０８】
そして、吊り下げられた網体に対して、複数の網体２を開口部６の下方向に隣接して、配置させる（ステップ３）。次に、複数の網体２を相互に隣接して、建物の外壁の開口部６に配置させた状態で、隣接する網体２毎に、一の網体の枠線と当該一の網体に隣接する他の網体の枠線とにコイルスプリングを巻きつける（ステップ４、図８（Ｃ））。
【０１０９】
コイルスプリング３を巻きつける態様と方法は、図４を用いて上述で既に説明しているため、割愛する。もちろん、図４で示した第一態様、第二態様、第三態様は、巻きつけるコイルスプリング３の位置、網体２の枚数、ベランダの開口部６の形状等に応じて適宜選択され使い分けられる。これにより、開口部６全面に複数の網体２が覆い被さって上下左右に配置され連結される。下方の網体２は、開口部の下端部（バラペット又はベランダの手摺）に配置される場合、外部から内部へ覆うように配置される。
【０１１０】
コイルスプリング６を巻きつける場合、複数の網体２を同時に前記開口部６に配置させることは、作業者を複数要する。そのため、吊り下げられた網体２に対して、一枚ずつ網体２を隣接、配置させて、隣接した網体２毎にコイルスプリング３を巻きつけるようにすれば、作業者一人でも十分、前記作業は可能となる。
【０１１１】
又、上述した網体２の配置作業と、コイルスプリング３の巻きつけ作業は、開口部６のどの位置からでも開始することが可能である。これは、ベランダの開口部６の形状や構成に応じて、作業場所を頻繁に変更する必要がなく、集中して当該配置作業と巻きつけ作業とを実行することが出来ることに対応する。この網体２の配置作業とコイルスプリング３の巻きつけ作業とを任意の位置から開始できることは、高所に位置するベランダの開口部６に鳥害防止具１を取り付ける場合、予め危険を回避することが可能となり、大きなメリットとなる。
【０１１２】
更に、コイルスプリング３の巻きつけが完了すると、ペンチ、ニッパー等の工具によって当該コイルスプリング３の一部の円形状を略楕円状に変形させて押し潰すことが好ましい。これにより、網体２が揺動して、コイルスプリング３が回転したとしても、当該コイルスプリング３の巻きつけが解かれることがないとともに、コイルスプリング３の位置が移動することもない。
【０１１３】
連結網体２が前記開口部６全面に覆い被さって上下左右に配置された状態で、当該開口部６の端部近傍の構造物の所定の位置に、留め金具５を取り付ける（ステップ５、図９（Ｄ））。
【０１１４】
取り付けられる留め金具５の位置と、個数は、取り付けられた複数の網体２の配置状態、前記開口部６の寸法と、当該開口部６の形状と、複数の網体２の左右方向の寸法とに応じて決定される。鳥害防止具１は、所定の重さを有する複数の網体２から構成されるから、一度吊り下げられると自重によりある程度前記開口部６に固定されるものの、上述した留め金具５により当該鳥害防止具１を強固に固定可能となる。留め金具５の位置と、個数は、適宜調整されるものの、連結網体２を開口部６に強固に取り付ける場合は、例えば、端部の網体のうち、上下方向に隣接する網体の枠線相互８２には、一つの留め金具が配置され、左右方向に隣接する網体を連結するコイルスプリング８３には、一つの留め金具５が配置される。図９（Ｄ）では、上下方向に二つの網体２を隣接し、左右方向に三つの網体２を隣接して開口部６に配置させるため、連結網体２の端部のうち、左右両端に二つの留め金具５と、下端部に二つの留め金具５とが取り付けられ、留め金具５は４個取り付けられる。
【０１１５】
前記留め金具５を取り付ける方法は、上述した吊り下げ金具４を取り付ける方法と同様であるため、割愛する。尚、留め金具５を取り付ける位置は、後述する留め態様に応じて適宜設計する。
【０１１６】
留め金具５を取り付けると、連結網体のうち、端部に位置する所定の網体の枠線を、前記留め金具５に留めて、鳥害防止具１を開口部で固定し、鳥害防止具の取り付け作業が完了する（ステップ６）。
【０１１７】
所定の網体の枠線を留め金具５に留める場合、図７で示した線材留め態様、コイルスプリング留め態様のいずれかが採用される。当該態様は、網体２の枚数、ベランダの開口部６の形状等に応じて適宜選択され使い分けられる。図９（Ｄ）では、開口部６の左右端部において線材留め態様が、開口部の下端部においてコイルスプリング留め態様が採用されている。
【０１１８】
尚、鳥害防止具を更に強固に取り付けたい場合は、コイルスプリング３を増設したり、留め金具５を増設したりしても構わない。例えば、図１０（Ｅ）に示すように、上下（又は左右）に配置された網体の枠線相互の中央部に、追加されるコイルスプリング８４を、上下の二対の網体毎に、巻きつけても構わないし、下方の網体の端部近傍の上下線材（又は、枠線）を、追加で設置された留め金具８５に留めても構わない。
【０１１９】
さて、上述した実施形態に係る鳥害防止具１を用いて、建物の外壁の開口部６に実際に取り付けたときの私的な実験結果を記載する。
【０１２０】
所定のマンションの一室に備えられたベランダの開口部（左右方向の寸法が１．８ｍ、上下方向の寸法が１．５ｍ）に、従来技術で示した防鳥ネット又は本発明の実施形態に係る鳥害防止具を取り付けた場合の取り付けに要する取り付け時間を計算した。
【０１２１】
まず、防鳥ネットに対する取り付け時間について説明する。
【０１２２】
防鳥ネットを取り付ける場合、取り付ける前の防鳥ネットは通常のネット（網）とほとんど変わらないため、ベランダの開口部の寸法に合わせて裁断する必要がある。そのため、前もって現場に行き、ベランダの開口部のイラスト図を作成した。
【０１２３】
前記イラスト図を作成する方法は、現場へ下見に行って、ベランダの開口部の左右方向の寸法を所定の測量機器を用いて正確に測量するとともに、当該開口部の上下方向の寸法を、聊か余剰分を含む寸法で測量して、イラスト図を作成した。当該イラスト図の作成には、１日を要した。
【０１２４】
次に、所定のネット裁断業者に防鳥ネットの裁断を依頼した。ネット裁断業者にイラスト図を手渡し、防鳥ネットを、ネットの網目数に応じて裁断してもらった。防鳥ネットの裁断には、５日を要した。この時点で、ベランダの開口部に取り付け可能な防鳥ネットを取得するのに、６日（約１週間）を要した。
【０１２５】
そして、ベランダの開口部へ行って、防鳥ネット用の固定金具（取り付け金具）を当該開口部の所定の位置に取り付けた。図１３に示すように、防鳥ネット１１を固定金具１２に取り付ける場合、固定金具１２で、防鳥ネット１１が形状保持されることなく自重により垂れて、開口部が形成してしまう。そのため、所定の間隔で、複数の固定金具１２を取り付ける必要がある。ベランダの開口部６の左右方向の寸法が１．８ｍである場合、垂れた箇所の開口部が鳥の侵入出来ない程度の大きさにするためには、０．１５ｍ程度の間隔毎に、ベランダの開口部６の上端部近傍の構造物（壁）と下端部近傍の構造物（壁）とに固定金具１２を取り付ける必要があった。固定金具１２の個数は、上端部が１２個、下端部が１２個必要であった。又、ベランダの開口部６の左右端部近傍の構造物（壁）でも、防鳥ネット１１の垂れ下がりにより生じる開口部を防止するために、ベランダの開口部６の上下方向の寸法が１．５ｍである場合、固定金具１２の個数は、左端部が１０個、右端部が１０個必要であった。合計すると、固定金具１２は４４個必要であった。一の固定金具１２の取り付けに約５分程度要したため、全ての固定金具１２の取り付けに２２０分要した。
【０１２６】
固定金具１２を全て取り付けた後に、裁断された防鳥ネット１１を当該固定金具１２に取り付けた。一の固定金具１２に対して防鳥ネット１１の端部の取り付けに約２分程度要したため、全ての固定金具１２に対する防鳥ネット１１の取り付けに４４分要した。
【０１２７】
これで、防鳥ネット１１の取り付けが完了した。イラスト図の作成に要する時間と、防鳥ネットの裁断に要する時間を、防鳥ネット１１の取り付け時間に含めると、当該取り付け時間は、６日以上の時間を要した。又、イラスト図の作成に要する時間と、防鳥ネットの裁断に要する時間を除外した場合、防鳥ネット１１の取り付け時間は合計して２６４分（４時間２４分）であった。
【０１２８】
次に、本発明の実施形態に係る鳥害防止具に対する取り付け時間について説明する。
【０１２９】
本発明の実施形態に係る鳥害防止具１を、上述した防鳥ネット１１を取り付けたベランダの開口部と同一間取りのベランダの開口部６の近傍の構造物に取り付けた。
【０１３０】
まず、鳥害防止具１を取り付ける場合、鳥害防止具１は複数の網体２を連結して構成されるから、ベランダの開口部６の寸法を測量する必要がない。鳥害防止具１を構成する、複数の網体２と、複数のコイルスプリング３と、複数の吊り下げ金具４と、複数の留め金具５とを現場に持っていくだけで足りる。今回は、左右方向の寸法が０．６ｍ、上下方向の寸法が１．０ｍの網体２を現場に持っていった。
【０１３１】
そして、複数の吊り下げ金具４を、ベランダの開口部６近傍の構造物（天井）の所定の位置に取り付けた。吊り下げ金具４を取り付ける場合、網体が所定の形状保持性を有しているから、一の網体に対して当該網体の両端に対応する二つの吊り下げ金具を設置すれば足りる。ベランダの開口部６の左右方向の寸法は１．８ｍであり、一の網体の左右方向の寸法は０．６ｍであるから、当該開口部６には、三つの網体を左右に連結すれば足りる。従って、吊り下げ金具４を、前記開口部６の上端部近傍の構造物に６個取り付けた。当該取り付け状態は、図８（Ａ）に示したとおりである。一の吊り下げ金具４の取り付けに約５分程度要したため、全ての吊り下げ金具４の取り付けに３０分要した。
【０１３２】
次に、吊り下げ金具４を全て取り付けた後に、二つの吊り下げ金具４に網体２を吊り下げた。一枚の網体２を吊り下げに約２分程度要したため、合計して６分要した。当該取り付け状態は、図８（Ｂ）に示したとおりである。
【０１３３】
更に、吊り下げた網体２に対して、一枚づつ網体２を隣接して配置させ、コイルスプリング３にて連結した。一枚の網体２に対して二つのコイルスプリング３を用いたため、合計して、六つのコイルスプリングを三つの網体相互に対して用いた。一のコイルスプリング３の巻きつけ作業は約２分程度要したため、合計して、１２分要した。当該取り付け状態は、図８（Ｃ）に示したとおりである。
【０１３４】
ベランダの開口部６の上下方向の寸法が、１．６ｍであるため、上下方向の寸法が１．０ｍである二つの網体２を上下に隣接して配置させると、０．４ｍ程度長くなってしまう。そのため、長くなった網体の部分を、対応する線材をニッパー等で切断することによって、鳥害防止具１の上下方向の寸法を調整した。線材を切断するだけで済むので、当該調整には約６分要した。
【０１３５】
そして、留め金具５を取り付けた。ベランダの開口部６では、六枚の網体２を隣接して配置しているため、開口部６の左右端部近傍の構造物（壁）に二つの留め金具４と、開口部６の下端部近傍の構造物（壁）に二つの留め金具４とを取り付け、合計して、四つの留め金具４を取り付けた。一の留め金具４を留めるのに、５分程度要したため、全ての留め金具４の取り付けに２０分要した。当該取り付け状態は、図９（Ｄ）に示したとおりである。
【０１３６】
最後に、六枚の網体４を留め金具４に留めて開口部６に固定した。一の留め金具４を留めるのに、２分程度要したため、全ての留め金具４の留め作業に１２分要した。
【０１３７】
これで、鳥害防止具の取り付けが完了した。鳥害防止具の取り付け時間は合計して８０分（１時間２０分）であった。
【０１３８】
このように、鳥害防止具１の取り付け時間は、防鳥ネット１１の取り付け時間と比較すると、飛躍的に短縮されていることが理解される。更に、鳥害防止具１の取り付けについては、イラスト図の作成、防鳥ネットの裁断を要せず、鳥害防止具１を構成する複数の網体２等を現場に持っていくだけで即時に取り付けに取り掛かれるため、その利便性は格段に向上している。特に、ベランダ等の開口部６に鳥害防止具１を取り付ける場合、当該開口部６が比較的高所に位置することが通常であるから、ユーザの取り付け作業には常に危険を伴う。そのような条件で、取り付け時間の短縮化や取り付け作業の簡便化は、取り付け作業に伴う危険を出来るだけ排除することとなり、鳥害防止具１を取り扱うユーザにとって大きなメリットとなる。
【０１３９】
次に、実施形態に係る鳥害防止具の耐用年数（耐久性）に関して、私的な実験結果を記載する。
【０１４０】
防鳥ネット１１を上述した開口部に取り付けた場合、当該防鳥ネット１１は化学繊維等の紐（網糸）から構成されているため、外界の雨、風、雪等によって磨耗し、約７年程度で一部が切断してしまっていた。尚、防鳥ネット１１に採用されているナイロン（商品名）等の化学繊維の耐用年数は１０年程度である。
【０１４１】
これに対して、鳥害防止具１を上述した開口部６に取り付けた場合、鳥害防止具６の各部材は、ステンレス製で構成されているため、外界の影響を受け難い。例えば、鳥害防止具１の網体の線材には、２０年以上の耐用年数を有するステンレス製の線材を採用しているため、鳥害防止具１全体の耐用年数は、２０年以上となると推定している。
【０１４２】
このように、鳥害防止具１の耐用年数は、防鳥ネット１１の耐用年数と比較すると、飛躍的に延長されたことが理解される。
【０１４３】
最後に、実施形態に係る鳥害防止具の視認性に関して、私的な実験結果を記載する。
【０１４４】
防鳥ネット１１を上述したベランダの開口部６に取り付けた場合、当該防鳥ネット１１は、従来技術で説明したように、綱糸が黒色又は茶褐色で構成されているため、外界から視認し難い。しかしながら、ベランダ等の建物の外壁の色が白色で施されている場合、綱糸が黒色又は茶褐色であっても目立ってしまい、建物の外観を損ねてしまっていた。
【０１４５】
これに対して、鳥害防止具１を上述した開口部６に取り付けた場合、鳥害防止具１の各部材は、光沢を有する金属製で構成されており、鳥害防止具１を構成する網体２の線材は細いため、開口部６に張り巡らせても目立ち難い。更に、ベランダ等の建物の外壁の色がどのような色であっても、金属製であるから、その色に影響をうけることなく目立ち難い。その結果、ベランダ全体の外観を損なうことはなかった。
【０１４６】
このように、鳥害防止具１の視認性は、防鳥ネット１１の視認性と比較すると、建物の景観を損ねることはないことが理解される。
【０１４７】
従って、本発明の実施形態に係る鳥害防止具１によって、建物の外壁の開口部６に容易に取り付けることが可能となるとともに、耐久性に優れ、建物の外観を損なうことなく、鳥の侵入を確実の防止することが可能となるのである。
【０１４８】
ところで、上述した鳥害防止具１は、複数の網体２と、複数のコイルスプリング３と、複数の吊り下げ金具４と、複数の留め金具５とから構成されているため、全体を容易に左右方向に湾曲させたり、コイルスプリング３をヒンジ部として上下方向又は左右方向に折り曲げることが可能であるから、鳥害防止具１全体として様々な形状に変更することが可能である。
【０１４９】
図１１は、本発明に係る鳥害防止具を左右方向に曲面を有するマンションの開口部に取り付けた状態を示す概略図である。
【０１５０】
図１１に示すように、所定の部分が延出されて左右方向に半円状の曲線を有するマンションの開口部６９であっても、鳥害防止具１を構成する網体２を適切に左右方向に湾曲させることによって、当該開口部６９の形状と一致する形状に鳥害防止具１を変形、調整することが可能である。又、形状が変形、調整された鳥害防止具１は上述したように形状保持性を有しているから、比較的少ない吊り下げ金具４の個数で十分吊り下げることが可能であり、一度変形、調整した形状を当該鳥害防止具１がそのまま保持して鳥の侵入を防止することが可能である。当然、当該鳥害防止具１に対する所定のメンテナンスも要しない。
【０１５１】
このように、本発明の鳥害防止具１によれば、外周を枠線で囲った網体２と、隣接して配設された前記網体２の枠線相互を連結するコイルスプリング３と、前記網体２がコイルスプリング３によって複数連結された連結網体２の上端部を構造物の所定高さの位置に吊り下げる、前記構造物に取り付けられた吊り下げ金具４と、を備える。
【０１５２】
これにより、鳥害防止具は、外周を枠線で囲った網体から構成されているため、搬送性に優れるとともに、網体の吊り下げ作業と、コイルスプリングの連結作業とにより簡単に鳥害防止具を構成することが可能であるため、鳥害防止具の取り付けに要する時間を飛躍的に短縮することが可能となる。更に、構成された鳥害防止具は、コイルスプリングがヒンジ部の役割を果たし、鳥害防止具全体が湾曲、折り曲げ可能となるから、様々な構造物の開口部の形状（例えば、左右方向に曲線を有する建造物の開口部の形状）であっても、鳥害防止具の形状を容易に変形して適切に当該開口部に取り付けることが可能となる。
【０１５３】
更に、鳥害防止具は、持ち運び可能な寸法の複数の網体から構成されているため、搬送性に優れるとともに、高所にある構造物の開口部に対しても、網体の吊り下げ作業と、コイルスプリングの巻きつけ作業とに簡単に実行することが可能となる。
【０１５４】
又、鳥害防止具の網体が金網から構成されていることから、網体の線材を構成する金属は化学繊維と比較すると、外界の影響（日光、紫外線、風等）により著しく劣化され難いため、鳥害防止具全体として耐用年数を飛躍的に延長し、耐久性を向上させることが可能となる。そのため、鳥害防止具を一度取り付けると、長期間に渡って野生の鳥の侵入を防止することが可能となるとともに、取り付け後の鳥害防止具のメンテナンスを不要とし、利便性を更に向上させることが可能となる。
【０１５５】
更に、鳥害防止具の網体が金網から構成され、金属特有の光沢を有するから、鳥害防止具を前記開口部に取り付けても、網体の線材が目立たず、鳥害防止具全体が外部から容易に視認することが出来ないものとなり、建物の外観を損なうことがない。
【０１５６】
更に、鳥害防止具を一度取り付けると、外界からの鳥の侵入を防止するだけでなく、網体によって開口部が塞がれているため、マンション一階のベランダの開口部のように、比較的外界の不審者が開口部から内部に入り易い環境に備えられた開口部であっても、鳥害防止具が防犯用具として機能し、不審者の侵入意識を初期の段階で抑制させることも可能である。又、マンションの高所のベランダの開口部に鳥害防止具を取り付けた場合、網体によって開口部が塞がれているため、ベランダに干した洗濯物等が開口部を介して外界へ落ちることを防止することも可能となる。
【０１５７】
更に、当該鳥害防止具１は、前記連結網体２の端部の枠線を留める、前記構造物に取り付けられた留め金具５を備えるよう構成することができる。
【０１５８】
これにより、鳥害防止具を構造物に適切に固定することが可能となるから、例えば、マンション等の建物の開口部が受ける外界の影響（風、雨等）によって鳥害防止具の振動、揺動、取り外れ等を確実に防止することが可能となる。又、網体相互の接触による金切り音の発生も防止し、快適な生活空間を維持することが可能となる。
【０１５９】
更に、本発明の鳥害防止具１の取り付け方法によれば、構造物に吊り下げ金具４を取り付ける吊り下げ金具取り付けステップと、外周を枠線で囲った網体２の上端部の枠線を、前記吊り下げ金具４に吊り下げる吊り下げステップと、吊り下げられた網体２に対して、網体２を隣接して配設させた状態で、当該網体２の枠線相互をコイルスプリング３で連結する連結ステップと、を有する。
【０１６０】
これにより、吊り下げ金具を取り付ける作業と、網体を吊り下げ金具に吊り下げる作業と、吊り下げた網体の枠線と、隣接して配設された網体の枠線とをコイルスプリングで連結する作業という一連の簡単な作業により、鳥害防止具を組み立てながら構造物（例えば、構造物の開口部）に取り付けることが可能となる。
【０１６１】
又、鳥害防止具全体が網体毎に区画される構成としているため、複数の吊り下げ金具と、複数の網体と、複数のコイルスプリングとをベランダ等の構造物の開口部に持っていけば、様々な大きさを有する開口部であっても、即時かつ適切に鳥害防止具の大きさを調整して当該開口部に取り付けることが可能となる。そのため、従来では、防鳥ネットの取り付けの際にはイラスト図の作成、当該イラスト図に従って防鳥ネットの裁断作業が必要であり、６日以上の時間を要し、当日に取り付け作業を完了することが出来なかった。本発明に係る鳥害防止具の取り付け方法では、イラスト図の作成と、防鳥ネットの裁断とを不要とするとともに、当該鳥害防止具の取り付けに要する時間は、従来での取り付け作業に要する時間と比較すると、飛躍的に短縮することが可能となる。更に、鳥害防止具を構成する網体は、所定の形状保持性を有しているから、従来の網糸からなる鳥害防止具と比較すると、吊り下げ金具の取り付け数を飛躍的に減少させることも可能となり、より一層、取り付け作業の簡便化と、取り付け時間の効率化とを図ることが可能となる。
【０１６２】
更に、当該取り付け方法は、前記構造物に留め金具５を取り付ける留め金具取り付けステップと、前記網体がコイルスプリング３によって複数連結された連結網体２の端部を前記留め金具５に留めステップと、を有するよう構成することができる。
【０１６３】
これにより、鳥害防止具を強固に構造物に取り付けることが可能となる。更に、鳥害防止具を構成する網体は、所定の形状保持性を有しているとともに、留め金具は、連結網体の端部を留める位置に取り付ければ足りるため、従来の網糸からなる鳥害防止具と比較すると、留め金具の取り付け数を飛躍的に減少させることも可能となり、より一層、取り付け作業の簡便化と、取り付け時間の効率化とを図ることが可能となる。
【０１６４】
尚、本発明の実施形態では、複数の網体において、相互に隣接する網体の端部の枠線相互を全てコイルスプリングで巻きつけるよう構成したが、他の構成でも構わない。
【０１６５】
例えば、当該鳥害防止具において、更に、前記連結網体のうち、所定の網体の一の枠線のみを、当該網体に隣接する第一の網体の枠線と前記コイルスプリングによって連結されたとともに、当該一の枠線に対向する他の枠線を、当該網体に隣接する第二の網体の枠線に設けられた掛け止め金具に掛け止められた網体を備えるよう構成することができる。当該構成により、所定の網体が、取り付けられた複数の網体に対して開閉自在に配置されることになるから、当該網体が非常口としての役割を果たすことになる。
【０１６６】
図１２は、鳥害防止具１を構成する所定の網体が非常口として配置された状態を示す概略図である。図１２（Ａ）は、非常口網体を備えた鳥害防止具１の正面図であり、図１２（Ｂ）は、図１２（Ａ）のＡ−Ａ線の右側面の断面図であり、図１２（Ｃ）は、後述する掛け止め金具の概略図である。尚、図１２の上下方向が、鳥害防止具の上下方向に対応し、図１２の左右方向が、鳥害防止具の左右方向に対応する。
【０１６７】
図１２（Ａ）に示すように、非常口に対応する所定の網体１００１（以下、非常口網体とする）の枠線のうち、下方の枠線１００２のみが、非常口網体１００１の下方に隣接して配置された網体１００３の上方の枠線１００４とコイルスプリング３に巻きつけられる。当該コイルスプリング３の巻きつけ態様は、図７（Ａ）に示すように、二つの網体を一つのコイルスプリングで巻きつける態様（第一態様）である。そのため、非常口網体１００１は、図１２（Ｂ）に示すように、下方の枠線１００２に巻きつけられたコイルスプリング３をヒンジ部として左右方向に開閉自在に配置される。
【０１６８】
更に、非常口網体１００１の枠線のうち、上方の枠線１００５が、非常口網体１００１の上方に隣接して配置された網体１００６の下方の枠線１００７に取り付けられた掛け止め金具１００８で掛け止められる。
【０１６９】
前記掛け止め金具１００８は、図１２（Ｃ）に示すように、所定の線材の両端を湾曲させて形成されるとともに、本体中央付近に、入口部１００９に対応する切断部を形成されている。下方の湾曲部１０１０がフック形状を有しており、非常口網体１００１の枠線１００５を入口部１００９から容易に内部に挿通し、掛け止め金具１００８に非常口網体１００１を容易に掛け止め可能としている。非常口網体１００１が掛け止め金具１００８に掛け止められると、ベランダの開口部６全体を複数の網体２が覆うことになり、鳥の侵入を防止することが可能となる。図１２（Ｃ）では、フック形状の入口部１００９は外部（右方向）を向いている。
【０１７０】
又、非常口金具１００１の下方に、非常口を示す逆三角形の表示部１０１１を、例えば、ベランダの外壁に取り付けると、消防隊員が外部から非常口網体１００１を容易に認識することが可能となるため、好ましい。
【０１７１】
当該構成とすると、仮に、内部で火災が発生した場合であっても、前記掛け止め金具１００８が非常口網体１００１を強固に固定している訳ではないから、非常口網体１００１への消防隊員の押し作業又は引き作業によって容易に非常口網体１００１が開放され、非常口が形成される。これにより、内部の住人は、鳥害防止具が開口部に取り付けられた状態であっても、容易に避難することが可能となる。
【０１７２】
上述した非常口作成方法は、次の通りである。
【０１７３】
既に、複数の網体２を留め金具５で留めて、鳥害防止具１をベランダの開口部６の端部近傍の構造物（壁）に固定した状態とする（ステップ６）。当該状態において、図１２（Ａ）に示すように、取り付けられた連続網体２のうち、非常口に対応する所定の網体１００１（非常口網体）を選択し、当該非常口網体１００１の下方の枠線１００２のみを、当該非常口網体１００１の下方に隣接して配置された網体１００３の上方の枠線１００４とコイルスプリング３で巻きつけておく（ステップ７）。更に、当該非常口網体１００１の左右方向の枠線に巻きつけられたコイルスプリング３を外す（ステップ８）。そして、当該非常口網体１００１の上方に隣接して配置された網体１００６の下方の枠線１００７に巻きつけられたコイルスプリング３を外すとともに、非常口網体１００１の上方の両端の位置に対応する前記網体１００６の下方の枠線１００７の位置に、二つ掛け止め金具１００８を取り付ける（ステップ９）。ここで、掛け止め金具１００８のフック部の入口部１００９が、外界に開放されるように当該掛け止め金具１００８を取り付ける。そして、非常口網体１００１の上方の枠線１００５を、取り付けた掛け止め金具１００８に掛け止める（ステップ１０）。これにより、非常口網体１００１が非常口として作成される。
【０１７４】
尚、従来の防鳥ネットを開口部に取り付けた場合、防鳥ネットの固定金具を取り外す作業又は防鳥ネットを切断する作業によって人間が通過可能な非常口を形成していた。防鳥ネットの固定金具は、本発明の鳥害防止具と比較して、数が多いため、当該固定金具を取り外すのに時間を要する。又、防鳥ネットを切断する場合は、防鳥ネットの網目が細かく、網糸が化学繊維から構成されるため、切断するのに時間を要する。従って、従来の防鳥ネットでは、非常口を形成するのに時間が掛かり、緊急事態に対応できるものではなかった。
【０１７５】
一方、本発明の鳥害防止具では、容易に非常口を作成することが可能となる。
【０１７６】
尚、図１２では、全て同一寸法を有する網体で構成された鳥害防止具を想定して非常口網体を構成したが、他の構成であっても構わない。例えば、本発明の鳥害防止具の非常口網体を、人体が容易にくぐり抜けることが可能な寸法の網体とし、当該非常口網体の寸法に応じて、当該非常口網体の上下に配置される網体の上下方向の寸法と、左右方向の寸法とを調整するよう構成しても構わない。当該構成とすると、緊急事態では、より迅速に内部の住民が外部へ避難することが可能となり、極めて安全性に優れた鳥害防止具となる。
【０１７７】
このように、本発明の鳥害防止具は、更に、前記連結網体のうち、所定の網体の一の枠線のみを、当該網体に隣接する第一の網体の枠線と前記コイルスプリングによって連結されたとともに、当該一の枠線に対向する当該網体の他の枠線を、当該網体に隣接する第二の網体の枠線に設けられた掛け止め金具に掛け止められた網体を備えるよう構成することができる。
【０１７８】
これにより、ベランダ等の開口部全面に鳥害防止具を取り付けたとしても、所定の網体は、前記掛け止め金具を外すと、取り付けられた複数の網体に対して開閉自在に配置されることとなるから、当該網体を非常口として利用することが可能となる。そのため、火災が発生したとしても、当該非常口によって、住人は即時に外部へ退避することが可能となるとともに、外部の消防隊員が容易に内部へ入ることが可能となり、円滑な救助活動を図ることができる。又、消防法等の規則に反することなく鳥害防止具を開口部に取り付けることが可能となる。従来の紐、網糸等からなる鳥害防止具では、火災などが発生した時に、内部又は外部から鳥害防止具を切断して非常口を作成して、ユーザが退避しており、退避時間が長時間化していたが、当該構成により、非常口から内部又は外部にユーザが容易に行き来することが可能となるため、退避時間を短縮化することが可能となる。
【０１７９】
又、本発明の鳥害防止具の取り付け方法は、前記連結網体のうち、所定の網体の一の枠線のみを、当該網体に隣接する第一の網体の枠線と前記連結金具によって連結するとともに、当該一の枠線に対向する当該網体の他の枠線を、当該網体に隣接する第二の網体の枠線に設けられた掛け止め金具に掛け止めて、当該網体を非常口として作成する非常口作成ステップを有するよう構成することができる。
【０１８０】
これにより、新たな部品点数を増加することなく非常口を作成することが可能となるとともに、その作成方法も非常に簡単である。更に、非常口は網体単位で作成されるから、連結網体のうち、ユーザが選択した任意の網体を非常口として設置することが可能となる。そのため、構造物の形状、建物の外壁の開口部の形状、建物の構成に応じて、適切な位置に当該非常口を作成することが可能となり、鳥害防止具の柔軟性を更に向上させる。
【０１８１】
又、本発明の実施形態では、左右方向に隣接した網体相互を連結させる場合でもコイルスプリングを採用したが、他の構成を採用しても構わない。例えば、左右方向に隣接する予定の網体の左右線材を予め所定の長さだけ長く延出させておき、当該網体を左右方向に隣接して連結させる場合、左右線材の直径と同一の貫通孔を有して、左右線材に差込可能な円筒状の差込プラグを採用しても構わない。当該構成とすると、左右方向に網体を隣接して連結させる場合、より簡便かつ迅速に連結させることが可能となる。
【０１８２】
又、本発明の実施形態では、留め金具を、連結網体のうち、端部に位置する所定の網体の枠材を、前記開口部の端部近傍の構造物（壁）に留めるよう構成しているが、他の構成であっても構わない。例えば、当該鳥害防止具において、更に、前記留め金具が、端部に位置する二つの網体を連結するコイルスプリングを当該留め金具へ引き延ばしながら当該コイルスプリングを前記開口部の端部近傍の構造物に留めるよう構成しても構わない。
【０１８３】
当該構成により、鳥害防止具を前記開口部に張設することが可能となるから、鳥害防止具を開口部に強固に取り付けることが可能となり、外界の影響（風、雨等）により鳥害防止具が振動、揺動しても、容易に外れることはない。
【０１８４】
又、本発明の実施形態では、上下線材と、左右線材とからなる網体を採用した。当該網体を構成する上下線材の個数が左右線材の個数よりも多い方が好ましい。上下線材の個数が左右線材の個数よりも多いと、網体全体が容易に左右方向に湾曲可能となるため、開口部の形状に応じて、網体の形状を変形することが可能となる。通常、開口部の形状は、上下方向よりも左右方向に曲線を描くよう湾曲していることが多いため、当該構成とすると、様々な開口部の形状に応じて鳥害防止具の形状を容易に変形することが可能となる。開口部の形状が左右方向に湾曲した曲線を有する建物は、例えば、球状ドーム、円柱状のマンション等である。
【産業上の利用可能性】
【０１８５】
以上のように、本発明に係る鳥害防止具は、マンションなどのベランダの開口部はもちろん、通路の開口部、駅や寺の開口部等にも有用であり、鳥などがベランダから内部に侵入することを防止するとともに、外観を損なうことなく、耐久性にも優れ、施工する時間も、従来の施工時間と比較すると、飛躍的に短時間で行うことが可能な鳥害防止具として有効である。
【符号の説明】
【０１８６】
１  鳥害防止具
２  網体
３  コイルスプリング
４  吊り下げ金具
５  留め金具
６  ベランダの開口部
【図１】
2010273624.tif 000003
【図２】
2010273624.tif 000004
【図３】
2010273624.tif 000005
【図４】
2010273624.tif 000006
【図５】
2010273624.tif 000007
【図６】
2010273624.tif 000008
【図７】
2010273624.tif 000009
【図８】
2010273624.tif 000010
【図９】
2010273624.tif 000011
【図１０】
2010273624.tif 000012
【図１１】
2010273624.tif 000013
【図１２】
2010273624.tif 000014
【図１３】
2010273624.tif 000015